(57)【要約】【課題】異なるサイズの帳票であってもサイズチェックモードを制御することにより帳票処理することが可能である。【解決手段】挿入口１１から挿入し搬送されるから払込取扱票２１をＣＣＤラインセンサ１４により得られたイメージが正規サイズか正規外サイズかを判定するＣＰＵ３１と、払込取扱票２１の種類ごとにあらかじめ定められている領域の認識を行うＯＣＲ部１５と、認識結果に応じた領域イメージを表示する表示器４１を備えたことを特徴とする。【選択図】図３
2006260079.tif 000002
【特許請求の範囲】
【請求項１】
挿入口から挿入された帳票を搬送する搬送手段と、この搬送手段により搬送される前記帳票に対してイメージを読み取るイメージスキャナ部と、前記帳票のイメージから前記帳票の種類を判別する帳票判別手段とを備えた帳票処理装置において、前記帳票の種類に応じた処理を行う帳票サイズチェックモード設定手段と、この帳票サイズチェックモード設定手段により前記帳票の種類ごとに領域のイメージの認識を行うイメージ領域認識手段と、前記イメージ領域認識手段により認識結果を対応する領域のイメージを表示する表示手段を備えたことを特徴とする帳票処理装置。
【請求項２】
請求項１記載の帳票処理装置において、同サイズの前記帳票を連続して処理を行う場合、２枚目以降は前記サイズチェックを省くことを特徴とする帳票処理装置。
【発明の詳細な説明】
【技術分野】
【０００１】
本発明は、金融機関において、税金・公共料金等を払い込むための払込取扱票（以下、帳票という）を識別する帳票処理装置に関する。
【背景技術】
【０００２】
従来、帳票は郵便局に備え付けられた正規サイズのものだけでなく雑誌などに添付されている私製の、正規外サイズの帳票もある。これらの帳票サイズ（帳票幅、帳票長さ）は郵便局のものと異なっている。すなわち、帳票は各種存在し、フォーマットが異なるため、帳票の種類を識別し、そのフォーマットを呼び出し帳票の種類に応じた文字認識する必要がある。
【０００３】
各種帳票を識別するには、帳票様式の枠構造の位置、大きさ、外形等の情報に基づいて様式判別のための特定の枠構造を抽出して、様式判別のための特定の枠構造を絞り込み、帳票様式を識別している。（たとえば、特許文献１参照）。
【特許文献１】特開平８−１７１６０８号公報
【発明の開示】
【発明が解決しようとする課題】
【０００４】
しかしながら、正規の帳票サイズと異なる正規外の帳票サイズを帳票処理装置で処理する場合、帳票エラーになる。このため係員は、帳票正規サイズに合わせるために、帳票をカットしたり、貼り付けたりして処理している。このため処理に時間がかかるという問題がある。
【０００５】
また、特許文献１は、処理ステップが複雑となり、帳票の識別に負担が係るという問題がある。
【０００６】
本発明は、サイズが異なる帳票であっても帳票サイズチェックモードを制御することにより各種帳票処理することができる。
【課題を解決するための手段】
【０００７】
本発明の媒体処理装置は、挿入口から挿入された帳票を搬送する搬送手段と、この搬送手段により搬送される前記帳票に対してイメージを読み取るイメージスキャナ部と、前記帳票のイメージから前記帳票の種類を判別する帳票判別手段とを備えた帳票処理装置において、前記帳票の種類に応じた処理を行う帳票サイズチェックモード設定手段と、この帳票サイズチェックモード設定手段により前記帳票の種類ごとに領域のイメージの認識を行うイメージ領域認識手段と、前記イメージ領域認識手段により認識結果を対応する領域のイメージを表示する表示手段を備えたことを特徴とする。
【発明の効果】
【０００８】
本発明は、帳票が正規サイズおよび正規外サイズのものでも処理できる帳票処理装置を提供する。
【発明を実施するための最良の形態】
【０００９】
以下、本発明の一実施の形態について図面を参照して説明する。
【００１０】
図１は本発明を実施の形態である帳票処理装置の構成を示す。この帳票処理装置は、払込取扱票（以下、帳票という）の処理を行う。
【００１１】
図１に示すように、帳票処理装置は、帳票１０を挿入する挿入口１１と、この挿入口１１より挿入された帳票１０を検知する帳票検知部である光センサ１２と、帳票１０の自動取り込みを行う一対の搬送ローラ１３、１３と、この搬送ローラ１３、１３によって取り込まれた帳票１０の全面をスキャンするイメージスキャナ部であるＣＣＤ（チャージ・カップルド・デバイス）ラインセンサ１４と、帳票の文字認識を行うＯＣＲ部１５と、帳票１０への印字を行う印字部１６と、取式済帳票などを収納する帳票収納部１７を備え構成される。
【００１２】
ＣＣＤラインセンサ１４は帳票１０の搬送方向と直交する方向を長手方向として配置されている。このＣＣＤラインセンサ１４の長手方向の長さは帳票１０の搬送方向と直交する方向の幅より長くなっており、これによってＣＣＤラインセンサ１４を動かすことなく帳票１０の全体画像を読み取ることができる。
【００１３】
次に、この媒体処理装置で扱われる払込取扱票について説明する。
【００１４】
図２に払込取扱票の例を示す。払込取扱票２１には、払込先の口座、払込金額、払込先住所等の払込に必要な各種情報が記入される書式枠２２が設けられている。この書式枠２２の部分のイメージは、ＯＣＲ部１５によって、書式枠２２に記入されている文字等の認識等が行われる。
【００１５】
図２示す払込取扱票のＡ点の求め方を説明する。Ａ点は、払込取扱票２１の横方向において、一定画素分だけ連続してデータが存在した場合、そこには横線が存在しているとしＥを算出する。同じく縦方向においてある一定画素分だけ連続してデータが存在した場合、そこには縦線が存在しているとしＦを算出する。
【００１６】
これによりＡ点の座標は帳票の基準から（Ｅ、Ｆ）の座標に存在していることが算出できる。
【００１７】
図３は帳票処理装置の制御機構の構成を示すブロック図である。
【００１８】
同図に示すように、３１は制御部本体を構成するＣＰＵ（中央処理装置）である。このＣＰＵ３１には、バスライン３２を介して各部の間でデータのやり取りを制御するとともに、各部の制御を総括的に行うものである。すなわち、ＣＰＵ３１には、ＲＯＭ（リード・オンリー・メモリ）３３、ＲＡＭ（ランダム・アクセス・メモリ）３４、搬送ローラ１３を搬送する搬送モータ（ステッピングモータ）３５を制御する搬送モータ制御回路３６、ＣＣＤラインセンサ１４を制御するイメージセンサ制御回路３７、ＯＣＲ部１５を制御するＯＣＲ制御回路３８、媒体１０に印字する印字部１６を制御する印字部制御回路３９、光センサ１２等の各種センサを制御する光センサ制御回路４０、表示部４１とタッチパネルセンサ４２とを制御するタッチパネルコントローラ４３および通信制御部４４が接続されている。
【００１９】
ＣＣＤラインセンサ１４は、帳票全体のイメージを読み取る処理を行う。
【００２０】
ＲＯＭ３３はＣＰＵ３１の動作に必要なプログラムや各種媒体の検知のためのプログラムが格納されるとともに、ＣＰＵ３１の作業領域等として使用されるメモリである。また、ＲＯＭ３３の図示しない、帳票情報テーブルには、各種帳票情報である帳票１０の幅および長さ、罫線領域等の特徴を表すデータが格納されている。
【００２１】
ＲＡＭ３４は、ＣＣＤラインセンサ１４によって読み取られた払込取扱票全体のイメージが一時的に格納されるメモリである。
【００２２】
制御部であるＣＰＵ３１は、ＣＣＤラインセンサ１４によって読取られた払込取扱票２１と、ＲＯＭ３３の帳票情報テーブルの各種情報とを比較し、帳票１０の正規サイズを判定するようになっている。また、ＲＡＭ３４に格納された払込取扱票２１のイメージを解析して払込取扱票２１に記入されている文字の読取を行うものである。
【００２３】
表示部４１は、利用者の画面を通じて各種メッセージを提供する。
【００２４】
タッチパネルセンサ４２は、図示しない選択キーや確認キー機能を有る。
【００２５】
通信制御部４４は、上位ホスト装置との間で通信を行うためのものである。
【００２６】
次に、この実施の形態の帳票処理装置による払込取扱票の処理の流れを図１〜図３を参照して説明する。
【００２７】
利用者が操作パネル上で、画面ガイダンスに従って払込取引を選択する。
【００２８】
利用者が、挿入口１１に払込取扱票２１を手差し挿入する。光センサ１２が払込取扱票２１を検知すると搬送ローラ１３が駆動され払込取扱票２１は本装置内部へ自動で取り込まれる。取り込まれた払込取扱票２１はＣＣＤラインセンサ１４で払込取扱票２１の幅を読み込まれる。取り込まれた払込取扱票２１は、ＯＣＲ部１５を通過するように搬送され、払込取扱票２１は印字部１６を素通りして、印字部１６の後方にある図示しない、一時保留部に保留される。
【００２９】
一方、ＣＣＤラインセンサ１４によって読み取られた払込取扱票２１のイメージはＣＰＵ３１にて制御されＯＣＲ部１５によって認識され、文字認識結果として払込取扱票２１に記入されている払込先の口座番号、払込金額などの取引データが得られるとともに、必要な記入欄の文字の有無、払込取扱票２１の種別の確認が行われる。
【００３０】
文字認識結果であるデータは表示器４１上に払込取扱票２１のイメージとともに上下に並んで表示され、利用者は各表示内容を比較して認識結果が正しいかを確認する。
【００３１】
誤っていれば、読み取った文字や数字等を修正して確認画面に戻る。また、正しければタッチパネル４２上の確認キーを押す。確認キーが押されると、画面によるメッセージ等により紙幣等を投入して払込先の口座への払込などの取引が行われる。
【００３２】
次に、払込取扱票の正規サイズと正規外サイズについての処理の流れを説明する。図４は、この払込処理の流れを示すフローチャートである。図１〜図３を参照して説明する。
【００３３】
まず、帳票処理装置は、表示器４１のタッチパネル４２の帳票サイズチェックモードに設定されている（ステップＳ１１）。（帳票サイズチェックモードに設定手段）
次に、利用者によって帳票が挿入口１１にセットされる（ステップＳ１２）。
【００３４】
セットされた帳票は吸入され、光センサ１２からＣＣＤラインセンサ１４までの距離に該当するステップだけステッピングモータ３５を駆動させ搬送ローラ１３により正方向の装置内部へ搬送される（ステップＳ１３）。
【００３５】
ＣＣＤラインセンサ１４で帳票の幅方向長さが正規サイズかを調べる（ステップＳ１４）。
【００３６】
帳票の幅が正規外サイズである場合、すなわち、大きいか若しくは小さい（ステップＳ１４のＮｏ）ときには、帳票サイズチェックなしモードに変更する（ステップＳ１５）。
【００３７】
次に、光センサ１２からＣＣＤラインセンサ１４までの距離に該当する分のステップだけステッピングモータ３５を駆動して搬送ローラ１３を回転させ帳票を逆方向に搬送する（ステップＳ１６）。
【００３８】
セットされた帳票の幅方向の長さが正しい場合（ステップＳ１４のＹｅｓ）、正規の帳票の長さに該当する分のステップだけステッピングモータ３５を駆動させ帳票を正方向へ搬送する（ステップＳ１７）。
【００３９】
次に、ＣＣＤラインセンサ１４で挿入された帳票の縦方向の長さが正規サイズかを調べる（ステップＳ１８）。
【００４０】
帳票の縦方向の長さが正規外サイズである。すなわち、大きいか若しくは小さい場合（ステップＳ１８のＮｏ）、帳票サイズチェックなしモードに変更する（ステップＳ１９）。
【００４１】
次に、正規の帳票の縦長さに該当する分のステップだけステッピングモータ３５を駆動して帳票を逆方向へ搬送する。（ステップＳ２０）。
【００４２】
セットされた帳票の縦方向の長さが正しい場合（ステップＳ１８のＹｅｓ）。
【００４３】
正規の帳票の長さに該当する分のステップだけステッピングモータ３５を駆動させ帳票を逆方向へ搬送する（ステップＳ２１）。
【００４４】
正規の帳票の長さ、たとえば、＋αに該当する分のステップだけステッピングモータ３５を駆動させ帳票を正方向へ搬送させながらＣＣＤラインセンサ１４にてデータの読み取りを行う（ステップＳ２２）。なお、ここで記載のαに関しては任意に設定できる。たとえば、帳票の縦方向長さが正規サイズに比べ１．２倍程度の帳票まで受け付けるとした場合、このαは正規サイズ帳票長さの２０％の数値となる。
【００４５】
正規の帳票長さに該当する分のステップだけステッピングモータ３５を駆動させ帳票を正方向へ搬送させながらＣＣＤラインセンサ１４にてデータの読み取りを行う（ステップＳ２３）。
【００４６】
払込取扱票２１の横方向ＹからＺまで、払込取扱票２１の縦方向ＰからＱまでの部分に入っているデータをＯＣＲ部１５で処理して口座番号（サンプルでは０００００−０−００００）を認識する。これと同じことを金額等でも行う（ステップＳ２４）。
【００４７】
Ａ点はすでにわかっているのでここから払込取扱票２１の横方向ＹからＺまで、払込取扱票２１の縦方向ＰからＱまでの部分に入っているデータをＯＣＲ部１５で処理して口座番号（サンプルでは０００００−０−００００）を認識する。これと同じことを金額等でも行う（ステップＳ２５）。
【００４８】
以上説明したように、本発明の前記実施の形態に係る帳票処理装置は、帳票が正規サイズまたは正規外サイズのものでも帳票サイズチェックモード設定手段を設けることで各種帳票処理が正常に行える。
【００４９】
また、たとえば、同種類の払込取扱票を２枚以上払込処理する場合、２枚目以降の帳票サイズチェックモードを省くことで、高速処理することが可能になる。
【００５０】
なお、本発明は前記実施の形態に限定されるものではなく、実施の段階ではその趣旨を逸脱しない範囲で種々に変形することが可能であるのは勿論である。
【図面の簡単な説明】
【００５１】
【図１】本発明の一実施の形態に係る帳票処理装置を示す概略図。
【図２】本実施の形態における一例をします払込取扱票の構成を示す図。
【図３】本実施の形態における制御機構を示すブロック図。
【図４】本実施の形態における制御部のフローチャートを示す図。
【符号の説明】
【００５２】
１０…帳票、１１…挿入口、１２…光センサ（光検知部）、１３…搬送ローラ（搬送手段）、１４…ＣＣＤラインセンサ（イメージスキャナ部）、１５…ＯＣＲ部（イメージ領域認識手段）、３１…ＣＰＵ（帳票判別手段）、４１…表示部、４２…タッチパネルセンサ（帳票サイズチェックモード設定手段）。
【図１】
2006260079.tif 000003
【図２】
2006260079.tif 000004
【図３】
2006260079.tif 000005
【図４】
2006260079.tif 000006